(57)【要約】ポインタ（４０）によって選択可能な選択対象（３１）をそなえたアクティブウィンドウ（３０ａ）を表示部（２）に表示させるアクティブウィンドウ表示制御部（４）と、アクティブウィンドウ（３０ａ）において選択対象（３１）に対応する関連領域を設定する関連領域設定部（６）と、ポインタ（４０）の該表示部（２）上における位置を監視するポインタ位置監視部（５）と、ポインタ（４０）が前記関連領域上に進入したことをポインタ位置監視部（５）によって検知すると、関連領域に対応する選択対象（３１）の表示状態を変化させる選択対象表示状態制御部（７）とをそなえて構成することにより、ポインタ（４０）による選択対象（３１）の選択が容易且つ正確になり操作性が向上させることができる。
2002046899.tif 000002
【特許請求の範囲】
【請求項１】
ポインタ（４０）によって選択可能な選択対象（３１）をそなえたアクティブウィンドウ（３０ａ）を表示部（２）に表示させるウィンドウ表示制御方法であって、
該アクティブウィンドウ（３０ａ）において、該選択対象（３１）に対応して形成された関連領域に該ポインタ（４０）が進入すると、該選択対象（３１）の表示状態を変化させることを特徴とする、ウィンドウ表示制御方法。
【請求項２】
該ポインタ（４０）の移動方向を監視し、該ポインタ（４０）が移動した際に、当該移動方向に位置する該選択対象（３１）の表示状態を変化させることを特徴とする、請求の範囲第１項記載のウィンドウ表示制御方法。
【請求項３】
該選択対象（３１）を拡大して表示させることにより該選択対象（３１）の表示状態を変化させることを特徴とする、請求の範囲第１項または第２項に記載のウィンドウ表示制御方法。
【請求項４】
該選択対象（３１）を該ポインタ（４０）と重なるように拡大して表示させることにより該選択対象（３１）の表示状態を変化させることを特徴とする、請求の範囲第１項または第２項に記載のウィンドウ表示制御方法。
【請求項５】
該選択対象（３１）を移動させて表示させることにより該選択対象（３１）の表示状態を変化させることを特徴とする、請求の範囲第１項または第２項に記載のウィンドウ表示制御方法。
【請求項６】
該選択対象（３１）を該ポインタ（４０）と重なるように移動させて表示させることにより該選択対象（３１）の表示状態を変化させることを特徴とする、請求の範囲第１項または第２項に記載のウィンドウ表示制御方法。
【請求項７】
ポインタ（４０）によって選択可能な選択対象（３１）をそなえたウィンドウを表示部（２）に表示させるウィンドウ表示制御方法であって、
該ポインタ（４０）の移動方向を監視し、該ポインタ（４０）が移動した際に、当該移動方向に位置する該選択対象（３１）の表示状態を変化させることを特徴とする、ウィンドウ表示制御方法。
【請求項８】
該選択対象（３１）を拡大して表示させることにより該選択対象（３１）の表示状態を変化させることを特徴とする、請求の範囲第７項記載のウィンドウ表示制御方法。
【請求項９】
該選択対象（３１）を該ポインタ（４０）と重なるように拡大して表示させることにより該選択対象（３１）の表示状態を変化させることを特徴とする、請求の範囲第７項記載のウィンドウ表示制御方法。
【請求項１０】
該選択対象（３１）を移動させて表示させることにより該選択対象（３１）の表示状態を変化させることを特徴とする、請求の範囲第７項記載のウィンドウ表示制御方法。
【請求項１１】
該選択対象（３１）を該ポインタ（４０）と重なるように移動させて表示させることにより該選択対象（３１）の表示状態を変化させることを特徴とする、請求の範囲第７項記載のウィンドウ表示制御方法。
【請求項１２】
ポインタ（４０）によって選択可能な選択対象（３１）をそなえたアクティブウィンドウ（３０ａ）を表示部（２）に表示させるアクティブウィンドウ表示制御部（４）と、
該アクティブウィンドウ（３０ａ）において該選択対象（３１）に対応する関連領域を設定する関連領域設定部（６）と、
該ポインタ（４０）の該表示部（２）上における位置を監視するポインタ位置監視部（５）と、
該ポインタ（４０）が前記関連領域上に進入したことを該ポインタ位置監視部（５）によって検知すると、当該関連領域に対応する該選択対象（３１）の表示状態を変化させる選択対象表示状態制御部（７）とをそなえることを特徴とする、ウィンドウ表示制御装置。
【請求項１３】
該ポインタ（４０）が移動したことを該ポインタ位置監視部（５）によって検知すると、選択対象表示状態制御部（７）が該ポインタ（４０）の当該移動方向に位置する該選択対象（３１）の表示状態を変化させることを特徴とする、請求の範囲第１２項に記載のウィンドウ表示制御装置。
【請求項１４】
ポインタ（４０）によって選択可能な選択対象（３１）をそなえたウィンドウを表示部（２）に表示させるウィンドウ表示制御部（３）と、
該ポインタ（４０）の該表示部（２）上における位置を監視するポインタ位置監視部（５）と、
該ポインタ（４０）が移動したことを該ポインタ位置監視部（５）によって検知すると、該ポインタ（４０）の当該移動方向に位置する該選択対象（３１）の表示状態を変化させる選択対象表示状態制御部（７）とをそなえることを特徴とする、ウィンドウ表示制御装置。
【請求項１５】
ポインタ（４０）によって選択可能な選択対象（３１）をそなえたアクティブウィンドウ（３０ａ）を表示部（２）に表示させるアクティブウィンドウ表示制御部（４）と、
該アクティブウィンドウ（３０ａ）において該選択対象（３１）に対応する関連領域を設定する関連領域設定部（６）と、
該ポインタ（４０）の該表示部（２）上における位置を監視するポインタ位置監視部（５）と、
該ポインタ（４０）が前記関連領域上に進入したことを該ポインタ位置監視部（５）によって検知すると、当該関連領域に対応する該選択対象（３１）の表示状態を変化させる選択対象表示状態制御部（７）としてコンピュータを機能させる、プログラムを記録したコンピュータ読取可能な記録媒体。
【請求項１６】
該ポインタ（４０）が移動したことを該ポインタ位置監視部（５）によって検知すると、選択対象表示状態制御部（７）が該ポインタ（４０）の当該移動方向に位置する該選択対象（３１）の表示状態を変化させることを特徴とする、請求の範囲第１５項に記載のプログラムを記録したコンピュータ読取可能な記録媒体。
【請求項１７】
ポインタ（４０）によって選択可能な選択対象（３１）をそなえたアクティブウィンドウ（３０ａ）を表示部（２）に表示させるアクティブウィンドウ表示制御部（４）と、
該ポインタ（４０）の該表示部（２）上における位置を監視するポインタ位置監視部（５）と、
該ポインタ（４０）が移動したことを該ポインタ位置監視部（５）によって検知すると、該ポインタ（４０）の当該移動方向に位置する該選択対象（３１）の表示状態を変化させる選択対象表示状態制御部（７）としてコンピュータを機能させる、プログラムを記録したコンピュータ読取可能な記録媒体。
【発明の詳細な説明】
技術分野
本発明は、コンピュータの表示部に表示させるアクティブウィンドウの表示制御に関し、例えばパーソナルコンピュータの表示装置に表示されたウィンドウにおいてポインタによって選択操作を行なう際に用いて好適な、ウィンドウ表示制御方法に関し、又、その方法を適用されたウィンドウ表示制御装置およびプログラムを記録したコンピュータ読取可能な記録媒体に関する。
背景技術
近年、パーソナルコンピュータ（以下、パソコンという）の需要が増大している。そして、このパソコンにおける入力手段として、キーボードの他にマウスが用いられている。
パソコンを用いてインターネットやパソコン通信等の種々の作業を行なう際に、ユーザは、これらのキーボードやマウスを用いて素早く且つ正確に入力操作を行なうことが求められている。
また、近年では、高齢者がパソコンを用いる機会も多くなってきており、このような高齢者や初心者でも素早く且つ正確に入力操作を行なうことができるパソコンの使用環境が求められている。
しかしながら、例えば小さなディスプレイをそなえたパソコンにおいては、そのディスプレイ上に表示されるウィンドウや選択項（ボタン等），ポインタ等も小さく表示される。従って、視認性が悪くなりその操作性も低下するので、マウスを用いてディスプレイに表示されたポインタを操作し、ウィンドウに形成された選択項を選択することが困難になる。
ここで、ディスプレイの解像度を向上させること等によって視認性をある程度まで向上させることも可能であるが、たとえディスプレイの解像度が向上しても、例えば高齢者や視力が弱い者にとって、小さなポインタによって小さな選択項を選択することに対する困難性はそれほど改善されるわけではない。
また、入力速度を向上させるために、キーボードやマウスに新たなキーやボタンを追加すると、ユーザはこれらの新たに追加されたキーやボタンについての操作方法を習得しなければならず、特に高齢者や初心者等にとってかえって扱い難くなるおそれがある。従って、既存のハードウェア環境をそのまま用いながら操作性を向上させたパソコンの使用環境が求められている。
本発明は、このような課題に鑑み創案されたもので、既存のハードウェア資源を用いてアクティブウィンドウにおけるポインタによる選択項の選択操作を容易にする工夫を施すことにより、ポインタによる選択対象の選択が容易且つ正確になり操作性が向上させることができるウィンドウ表示制御方法およびウィンドウ表示制御装置並びにプログラムを記録したコンピュータ読取可能な記録媒体を提供することを目的とする。
発明の開示
上記の目的を達成するために、本発明のウィンドウ表示制御方法は、ポインタによって選択可能な選択対象をそなえたアクティブウィンドウを表示部に表示させるウィンドウ表示制御方法であって、アクティブウィンドウにおいて、選択対象に対応して形成された関連領域にポインタが進入すると、選択対象の表示状態を変化させることを特徴としている。
なお、ポインタの移動方向を監視し、ポインタが移動した際に、この移動方向に位置する選択対象の表示状態を変化させてもよい。
また、選択対象を拡大して表示させることにより選択対象の表示状態を変化させてもよく、選択対象をポインタと重なるように拡大して表示させることにより選択対象の表示状態を変化させてもよい。
さらに、選択対象を移動させて表示させることにより選択対象の表示状態を変化させてもよく、選択対象をポインタと重なるように移動させて表示させることにより該選択対象の表示状態を変化させてもよい。
また、本発明のウィンドウ表示制御方法は、ポインタによって選択可能な選択対象をそなえたウィンドウを表示部に表示させるウィンドウ表示制御方法であって、ポインタの移動方向を監視し、ポインタが移動した際に、この移動方向に位置する選択対象の表示状態を変化させることを特徴としている。
なお、選択対象を拡大して表示させることにより選択対象の表示状態を変化させてもよく、選択対象をポインタと重なるように拡大して表示させることにより選択対象の表示状態を変化させてもよい。
また、選択対象を移動させて表示させることにより選択対象の表示状態を変化させてもよく、選択対象をポインタと重なるように移動させて表示させることにより選択対象の表示状態を変化させてもよい。
また、本発明のウィンドウ表示制御装置は、ポインタによって選択可能な選択対象をそなえたアクティブウィンドウを表示部に表示させるアクティブウィンドウ表示制御部と、アクティブウィンドウにおいて選択対象に対応する関連領域を設定する関連領域設定部と、ポインタの表示部上における位置を監視するポインタ位置監視部と、ポインタが関連領域上に進入したことをポインタ位置監視部によって検知すると、その関連領域に対応する選択対象の表示状態を変化させる選択対象表示状態制御部とをそなえることを特徴としている。
なお、ポインタが移動したことをポインタ位置監視部によって検知すると、選択対象表示状態制御部がポインタのその移動方向に位置する選択対象の表示状態を変化させてもよい。
また、本発明のウィンドウ表示制御装置は、ポインタによって選択可能な選択対象をそなえたウィンドウを表示部に表示させるウィンドウ表示制御部と、ポインタの該表示部上における位置を監視するポインタ位置監視部と、ポインタが移動したことをポインタ位置監視部によって検知すると、ポインタのその移動方向に位置する選択対象の表示状態を変化させる選択対象表示状態制御部とをそなえることを特徴としている。
さらに、本発明のコンピュータ読取可能な記録媒体には、ポインタによって選択可能な選択対象をそなえたアクティブウィンドウを表示部に表示させるアクティブウィンドウ表示制御部と、アクティブウィンドウにおいて選択対象に対応する関連領域を設定する関連領域設定部と、ポインタの表示部上における位置を監視するポインタ位置監視部と、ポインタが関連領域上に進入したことをポインタ位置監視部によって検知すると、その関連領域に対応する選択対象の表示状態を変化させる選択対象表示状態制御部としてコンピュータを機能させるプログラムが記録されている。このとき、ポインタが移動したことをポインタ位置監視部によって検知すると、選択対象表示状態制御部がポインタのその移動方向に位置する選択対象の表示状態を変化させてもよい。
また、本発明のコンピュータ読取可能な記録媒体には、ポインタによって選択可能な選択対象をそなえたアクティブウィンドウを表示部に表示させるアクティブウィンドウ表示制御部と、ポインタの該表示部上における位置を監視するポインタ位置監視部と、ポインタが移動したことをポインタ位置監視部によって検知すると、ポインタのその移動方向に位置する選択対象の表示状態を変化させる選択対象表示状態制御部としてコンピュータを機能させるプログラムが記録されている。
このように、本発明のウィンドウ表示制御方法およびウィンドウ表示制御装置並びにプログラムを記録したコンピュータ読取可能な記録媒体によれば、以下の効果ないし利点がある。
（１）アクティブウィンドウにおいて、選択対象に対応して形成された関連領域にポインタが進入すると、選択対象の表示状態を変化させることにより、選択対象の選択が容易になり操作性が向上する。例えば、小さなディスプレイをそなえたコンピュータシステム等において、ユーザが選択対象を選択する際等において、選択対象が小さく表示ている場合においても、その選択対象を容易且つ正確に選択することができる。
（２）ポインタの移動方向を監視し、このポインタが移動した際に、その移動方向に位置する選択対象の表示状態を変化させることによっても、選択対象の選択が容易且つ正確になり操作性が向上する。
（３）選択対象の視認性が向上するとともに、この選択対象を選択し易くなる。
（４）ユーザが選択対象にポインタを重ね合わせるためにマウス等を操作してポインタを移動させる必要がなく、選択対象の選択を迅速に行なうことができる。
発明を実施するための最良の形態
以下、図面を参照して本発明の実施の形態を説明する。
図１は本発明の一実施形態としてのウィンドウ表示制御装置の機能ブロック図、図２は本ウィンドウ表示制御装置の適用例としてのコンピュータシステムの全体構成を示すブロック図、図３（ａ）〜（ｃ）および図４（ａ）〜（ｃ）はそれぞれディスプレイの表示画面を説明するための図である。
なお、図３（ａ）は選択項が２つの場合の画面表示例を示す図、図３（ｂ）は図３（ａ）の座標算出例を示す図、図３（ｃ）は図３（ａ）の座標分割例を示す図である。又、図４（ａ）は選択項が４つの場合の画面表示例を示す図、図４（ｂ）は図４（ａ）の座標算出例を示す図、図４（ｃ）は図４（ａ）の座標分割例を示す図である。
図１に示す本発明の一実施形態としてのウィンドウ表示制御装置１は、例えばウィンドウシステム（マイクロソフト社のウィンドウズやＵＮＩＸにおけるＸ　Ｗｉｎｄｏｗシステム等）をそなえたコンピュータシステム５０（図２参照）において、ディスプレイ（表示部）２へのウィンドウ表示を制御するものである。以下、本ウィンドウ表示制御装置１をコンピュータシステム５０において適用する場合について説明する。
ウィンドウ３０はコンピュータシステム５０のＧＵＩ（Ｇｒａｐｈｉｃａｌ　Ｕｓｅｒ　Ｉｎｔｅｒｆａｃｅ）環境における基本的な画面構成要素のひとつで、作業中のデータやメッセージ等が表示される枠である（図３（ａ）参照）。そして、コンピュータシステム５０においては、ディスプレイ２上にこのようなウィンドウ３０を複数表示し、各ウィンドウ３０で異なる処理を行なうことにより、複数の処理を並行して行なうことができる。
また、一般的に、ウィンドウ３０には、図３（ａ）に示すように、ユーザがポインタ４０によって選択可能な選択項（選択対象）３１ａ（３１ｂ）が配置されている。なお、図３（ａ）中においては符号３１ａ，３１ｂにより示される２つの選択項が表示されている。以下、選択項を示す符号としては、複数の選択項のうちの１つを特定する必要があるときには、符号３１ａのごとく符号３１にａ〜ｄ等の英文字を付加して示す。又、任意の選択項を指すときには符号３１を用いる。
そして、ユーザがマウス２０（図２参照）を操作してポインタ４０を移動させて、ポインタ４０を選択項３１上に重ねた状態でマウス２０のボタンをクリックすることにより、その選択項３１の選択が行なわれるようになっている。
なお、ウィンドウシステムにおいては、一般的に、２つ以上のウィンドウ３０をディスプレイ２の表示画面２ａ上に表示させることができ、ユーザは一時に任意の１つのウィンドウ３０においてのみ入力や選択等の作業を行なうことができるようになっている。この作業可能なウィンドウ３０をアクティブウィンドウ３０ａといい、ディスプレイ２の表示画面２ａ上において一番手前に表示されるようになっている。
本ウィンドウ表示制御装置１は、図１に示すように、ウィンドウ表示制御部３，ポインタ位置監視部５，関連領域設定部６および選択対象表示状態制御部７をそなえて構成されている。具体的には、コンピュータシステム５０においては、後述するように、ＣＰＵ１１がハードディスク１３に格納されているプログラム等を実行することにより、これらの各部の機能が実現されるようになっている。
ウィンドウ表示制御部３は、ポインタ４０によって選択可能な選択項（選択対象）３１をそなえたウィンドウ３０をディスプレイ２に表示させるものである。又、このウィンドウ表示制御部３は選択項３１をそなえたアクティブウィンドウ３０ａをディスプレイ２に表示させるアクティブウィンドウ表示制御部４としての機能もそなえている。
ポインタ位置監視部５は、ポインタ４０のディスプレイ２上における位置を監視するものである。すなわち、ポインタ位置監視部５は、図３（ｂ）や図４（ｂ）に示すように、ディスプレイ２上におけるポインタ４０の位置を座標値として常に取得するようになっており、これにより、ポインタ４０のディスプレイ２上における位置を監視するようになっている。
また、関連領域設定部６は、アクティブウィンドウ３０ａにおいて選択項３１に対応する関連領域を設定するものである。具体的には、関連領域設定部６は、アクティブウィンドウ３０ａにおいて、各選択項３１に対応して形成された関連領域を予め設定するようになっている。
例えば、アクティブウィンドウ３０ａが１つの選択項３１をそなえている場合には（図５（ａ）参照）、そのアクティブウィンドウ３０ａと同一の領域をその選択項３１に対応する選択領域として形成する。
また、図３（ａ）に示すように、アクティブウィンドウ３０ａが２つの選択項３１ａ，３１ｂをそなえており、それらが互いに水平方向に並んで配置されている場合には、関連領域設定部６は、図３（ｃ）に示すように、アクティブウィンドウ３０ａを、選択項３１ａ，３１ｂのほぼ中間位置で２分するように各選択項３１ａ，３１ｂに対応する関連領域Ａ１，Ｂ１をそれぞれ形成する。
例えば、図３（ａ）に示す場合においては、アクティブウィンドウ３０ａの四隅の座標（ａ，ｂ），（ａ＋ｎ，ｂ），（ａ，ｂ＋ｍ），（ａ＋ｎ，ｂ＋ｍ）である場合には、図３（ｃ）に示すように、座標（ａ，ｂ），（（ａ＋ｎ）／２，ｂ），（ａ，ｂ＋ｍ），（（ａ＋ｎ）／２，ｂ＋ｍ）で囲まれる領域が選択項３１ａに対応する関連領域Ａ１として設定され、同様に、座標（（ａ＋ｎ）／２，ｂ），（ａ＋ｎ，ｂ），（（ａ＋ｎ）／２，ｂ＋ｍ），（ａ＋ｎ，ｂ＋ｍ）で囲まれる領域が選択項３１ｂに対応する関連領域Ｂ１として設定される。
さらに、図４（ａ）に示すように、アクティブウィンドウ３０ａが４つの選択項３１ａ〜３１ｄをそなえており、それらが互いに水平および鉛直方向にマトリクス状に配置されている場合には、図４（ｃ）に示すように、各選択項３１ａ〜３１ｄの配置位置のほぼ中央位置からアクティブウィンドウ３０ａを４等分するような関連領域Ａ〜Ｄをそれぞれ形成し、これらの関連領域Ａ〜Ｄに各選択項３１ａ〜３１ｄをそれぞれ対応させる。
すなわち、関連領域設定部６は、アクティブウィンドウ３０ａ内に選択項３１が１つしか配置されていない場合には、アクティブウィンドウ３０ａとほぼ同一形状の関連領域を選択項３１に対応するように形成するものであり、又、アクティブウィンドウ３０ａ内に２以上の選択項３１が配置されている場合には、各選択項３１に対応するようにアクティブウィンドウ３０ａを分割することにより各選択項３１に対応する関連領域をそれぞれ形成するようになっている。
例えば、図４（ａ）に示す場合においては、アクティブウィンドウ３０ａの四隅の座標がそれぞれ（ａ，ｂ），（ａ＋ｎ，ｂ），（ａ，ｂ＋ｍ），（ａ＋ｎ，ｂ＋ｍ）である場合には、図４（ｃ）に示すように、座標（ａ，（ｂ＋ｍ）／２），（（ａ＋ｎ）／２，（ｂ＋ｍ）／２），（ａ，ｂ＋ｍ），（（ａ＋ｎ）／２，ｂ＋ｍ）で囲まれる領域が選択項３１ａに対応する関連領域Ａとして設定される。
同様に、座標（（ａ＋ｎ）／２，（ｂ＋ｍ）／２），（ａ＋ｎ，（ｂ＋ｍ）／２），（（ａ＋ｎ）／２，ｂ＋ｍ），（ａ＋ｎ，ｂ＋ｍ）で囲まれる領域が選択項３１ｂに対応する関連領域Ｂ、座標（ａ，ｂ），（（ａ＋ｎ）／２，ｂ），（ａ，（ｂ＋ｍ）／２），（（ａ＋ｎ）／２，（ｂ＋ｍ）／２）で囲まれる領域が選択項３１ｃに対応する関連領域Ｃ、座標（（ａ＋ｎ）／２，ｂ），（ａ＋ｎ，ｂ），（（ａ＋ｎ）／２，（ｂ＋ｍ）／２），（ａ＋ｎ，（ｂ＋ｍ）／２）で囲まれる領域が選択項３１ｄに対応する関連領域Ｄとしてそれぞれ設定される。
選択対象表示状態制御部７は、関連領域設定部６によって各選択項３１に対応するように設定された各関連領域の座標情報を取得するとともに、ポインタ位置監視部５によって検出されたポインタ４０の位置情報（座標値）を取得するようになっている。これにより、ポインタ４０が関連領域上に進入したことをポインタ位置監視部５によって検知することができるようになっている。
そして、選択対象表示状態制御部７は、ポインタ４０が関連領域に進入したことをポインタ位置監視部５によって検知すると、その関連領域に対応する選択項（選択対象）３１の表示状態を変化させるようになっている。
図５（ａ），（ｂ）および図６（ａ），（ｂ）はともに選択項３１の表示状態の変化を説明するための図であり、図５（ａ）はアクティブウィンドウ３０ａが選択項３１を１つそなえている場合における選択項３１の変化前の状態を説明するための図、図５（ｂ）はその選択項３１の変化後の状態を説明するための図、図６（ａ）はアクティブウィンドウ３０ａが選択項３１を２つそなえている場合において一方の選択項３１の関連領域にポインタ４０が進入したときの状態を説明するための図、図６（ｂ）は図６（ａ）の状態から他方の選択項３１の関連領域にポインタ４０が移動した時における変化後の選択項３１の状態を説明するための図である。
例えば、図５（ａ）に示すように、アクティブウィンドウ３０ａが選択項３１を１つそなえている場合であって、ポインタ４０がアクティブウィンドウ３０ａの外側に位置している状態において、ユーザがポインタ４０を移動させてポインタ４０をアクティブウィンドウ３０ａに進入させると、選択対象表示状態制御部７は選択項３１の表示状態を変化させるようになっている。
より具体的には、選択対象表示状態制御部７は、図５（ｂ）に示すように、選択項３１がポインタ４０と重なるように拡大して表示させるようになっている。なお、拡大後の選択項３１の大きさは予め設定されるようになっており、又、その拡大後の大きさは自由に設定することができるようになっている。
また、図６（ａ）に示すように、アクティブウィンドウ３０ａが２つの選択項３１ａ，３１ｂをそなえている場合であって、一方の選択項３１ｂが拡大表示されてポインタ４０と重なっている状態において、ユーザがポインタ４０を移動させてこのポインタ４０を選択項３１ａの関連領域（図６（ｂ）のアクティブウィンドウ３０ａにおける左半分の領域）に進入させると、選択項３１ａ，３１ｂの表示状態を変化させるようになっている。
より具体的には、選択対象表示状態制御部７は、図６（ｂ）に示すように、選択項３１ａがポインタ４０と重なるように拡大して表示させるとともに、選択項３１ｂを拡大表示前の元の大きさに縮小して表示するようになっている。
また、選択対象表示状態制御部７は、ポインタ４０が移動したことをポインタ位置監視部５によって検知すると、ポインタ４０の移動方向に位置する選択項（選択対象）３１（図６（ｂ）中では選択項３１ａ）の表示状態を変化させるようになっている。
すなわち、選択対象表示状態制御部７は、ポインタ４０が移動したことをポインタ位置監視部５によって検知すると、ポインタ位置監視部５を用いて、移動前のポインタ４０の座標と移動後のポインタ４０の座標との少なくとも２回以上の座標を取得し、これらの２以上のポインタ４０の座標に基づいてその移動方向を算出する。
そして、選択対象表示状態制御部７は、図６（ｂ）に示すように、算出したポインタ４０の移動方向に位置する選択項３１ａを拡大表示する。なお、この際、選択項３１がポインタ４０と重なるように拡大表示してもよい。又、選択対象表示状態制御部７は、既に拡大表示している選択項３１ｂを拡大表示前の元の大きさに戻して表示する。
また、ユーザは、上述のごとき選択項３１の拡大表示を行なうか否かをあらかじめ選択的に設定することができるようになっており、その選択結果がＯＮ又はＯＦＦのフラグとして設定されるようになっている。そして、選択対象表示状態制御部７はこのフラグがＯＮである場合に選択項３１の拡大表示を行ない、又、このフラグがＯＦＦに設定されている場合には選択項３１の拡大表示を行なわないようになっている。
次に、本発明の一実施形態としてのウィンドウ表示制御装置１の適用例としてのコンピュータシステム５０の具体的な実施形態を図２を用いて説明する。
本コンピュータシステム（例えばパーソナルコンピュータ）５０は、図２に示すように、ＣＰＵ１１，キーボードコントローラ１２，ハードディスク１３，ディスプレイコントローラ１４，ディスプレイ（例えばＣＲＴ，ＬＣＤ等；表示部）２，ディスクコントローラ１６，Ｉ／Ｏコントローラ１７，メモリ（ＤＲＡＭ）１８，ＣＭＯＳ　ＲＡＭ１９，バス２４，システムコントローラ２５およびバッテリー２６をそなえて構成されている。
ハードディスク１３はコンピュータシステム５０における記憶装置であって、種々のアプリケーションプログラムやデータファイル等が格納されており、コンピュータシステム５０を本実施形態のウィンドウ表示制御装置１として機能させるためのプログラムもこのハードディスク１３や後述するＣＭＯＳ　ＲＡＭ１９等に格納されるようになっている。
なお、本実施形態では、ハードディスク１３はコンピュータシステム５０に内蔵されたものでもよく、又、コンピュータシステム５０に外付けされたものでもよい。ディスクコントローラ１６はハードディスク１３の動作を制御するものである。
ＣＭＯＳ　ＲＡＭ１９は、システム環境を設定するための情報やコンピュータ５０を初期動作させるためのプログラム等が格納されており、コンピュータシステム５０を本実施形態のウィンドウ表示制御装置１として機能させるためのプログラムも格納されている。又、このＣＭＯＳ　ＲＡＭ１９はバッテリ２６によってバッテリバックアップされており、図示しない電源部からＣＭＯＳ　ＲＡＭ１９への電力の供給が停止した場合に、このバッテリ２６からＣＭＯＳ　ＲＡＭ１９に電力を供給するようになっている。
ＣＰＵ１１は、プログラムを実行することにより各種演算処理や制御処理を行なうものであり、ハードディスク１３やＣＭＯＳ　ＲＡＭ１９に格納されているプログラムを実行することにより、上述したウィンドウ表示制御部３，アクティブウィンドウ表示制御部４，ポインタ位置監視部５，関連領域設定部６および選択対象表示状態制御部７として機能するようになっている。
メモリ１８は、ＣＰＵ１１が各種演算処理を実行する際のワーキングエリアとして用いられるものであり、例えば、ポインタ位置監視部５が取得したポインタ４０の座標値等を格納するものである。又、このメモリ１８には、アクティブウィンドウ３０ａの座標および大きさや、関連領域設定部６によってあらかじめ設定された各選択項３１に対応する関連領域の座標情報等も一時的に記憶されるようになっている。
キーボード１９およびマウス２０はユーザが種々の入力作業を行なうための入力手段である。特に、マウス２０はディスプレイ２上におけるポインタ４０の座標位置と連動しており、ユーザがマウス２０を操作することにより、ディスプレイ２上においてポインタ４０が移動するようになっている。
また、ユーザはマウス２０を操作してポインタ４０をディスプレイ３０上における任意のウィンドウ３０に重ね合わせ、更に、マウス２０のボタンをクリックすることによりそのウィンドウ３０をアクティブウィンドウ３０ａとして選択することができるようになっている。
キーボードコントローラ１２はキーボード１９やマウス２０からの入力信号をシステムコントローラ２５に通知するものである。
ディスプレイ２は例えばＣＲＴや液晶モニタ等によって構成される表示装置であって、本実施形態ではウィンドウ表示制御部３，アクティブウィンドウ表示制御部４および選択対象表示状態制御部７として機能するＣＰＵ１１からの指示に応じて動作するディスプレイコントローラ１４によって、その表示状態を制御されるようになっている。
Ｉ／Ｏコントローラ１７は、シリアルポート２１，パラレルポート２２およびフロッピィディスクドライブ（ＦＤＤ）２３等を制御するものである。システムコントローラ２５は、ＣＰＵ１１と他のコントローラ等を接続するものであり、ＣＰＵ１１からの種々の命令を各コントローラに送信したり、各コントローラからの信号をＣＰＵ１１やメモリ１８に送信するようになっている。
本発明の一実施形態としてのウィンドウ表示制御装置１は上述のごとく構成されているので、先ず、本ウィンドウ表示制御装置１におけるウィンドウ表示制御方法を、図８〜図１３を参照しながら図７に示すフローチャート（ステップＡ１０〜Ａ７０）に従って説明する。なお、図８〜図１３はそれぞれディスプレイ２の表示画面の例を示す図であって、ＡＴＭとして機能するコンピュータシステム５０において現金出納処理時に表示される種々の表示画面の例を示すものである。
ユーザは、例えば、図８に示すようなコンピュータシステム５０におけるウィンドウズの設定画面において選択項３１の拡大表示を行なう旨の設定を行なう。すなわち、コンピュータシステム５０のハードディスク１３等に格納されているアクティブウィンドウ表示制御プログラムを起動して、「選択項の拡大」を選択することにより、選択項３１の拡大表示を行なう旨のフラグをＯＮにする。
以下、図９に示すように、例えば銀行の窓口業務においてユーザが出金処理を行なう場合について説明する。この図９に示す選択画面においてユーザが出金処理を選択した場合には、図１０に示すような、金額を入力した後に「投出（選択項３１ａ）」，「内訳投出（選択項３１ｂ）」および「取り消し（選択項３１ｃ）」のいずれかの選択項３１ａ〜３１ｃから任意の選択項３１を、ポインタ４０を用いてユーザが選択するようになっている。
ＣＰＵ１１（選択対象表示状態制御部７）は、選択項３１の拡大表示を行なうか否かのフラグを調べ（ステップＡ１０）、このフラグがＯＦＦである場合には（ステップＡ１０のＮＯルート参照）、そのまま処理を終了して次の処理を行なう。
選択項３１の拡大表示を行なうか否かのフラグがＯＮである場合には（ステップＡ１０のＹＥＳルート参照）、次に、ＣＰＵ１１は、アクティブウィンドウ３０ａの位置（座標）や大きさをアクティブウィンドウ表示制御部４から取得する（ステップＡ２０）。又、ＣＰＵ１１（ポインタ位置監視部５）は、ディスプレイ２上におけるポインタ４０の位置（座標）を求める（ステップＡ３０）。
そして、選択対象表示状態制御部７は、このポインタ４０の座標と、アクティブウィンドウ表示制御部４からのアクティブウィンドウ３０ａの位置に関する情報とに基づいて、ポインタ４０がアクティブウィンドウ３０ａに進入しているか否かを判断する（ステップＡ４０）。
図１０に示すように、ポインタ４０がアクティブウィンドウ３０ａに進入していない場合には（ステップＡ４０のＮＯルート参照）、そのまま処理を終了して次の処理を行なう。
ユーザは、図１１に示すように、キーボード１９を用いて内訳投入金額を入力した後、ポインタ４０を移動させて「内訳投入（選択項３１ｂ）」を選択しようとする。
ここで、ユーザがマウス２０を操作することによりポインタ４０がアクティブウィンドウ３０ａに進入した場合には（ステップＡ４０のＹＥＳルート参照）、ＣＰＵ１１（関連領域設定部６）は、次に、アクティブウィンドウ３０ａ内に配置されている選択項３１（３１ａ〜３１ｃ）に応じて関連領域を設定する（ステップＡ５０）。
すなわち、図１０に示すアクティブウィンドウ３０ａには３つの選択項３１ａ〜３１ｃが配置されているので、関連領域設定部６は、アクティブウィンドウ３０ａを、各選択項３１ａ〜３１ｃに対応するように分割して３つの関連領域を形成する。例えば、図１０および図１１に示すように、アクティブウィンドウ３０ａにおいて水平方向に等間隔に３つの選択項３１ａ〜３１ｃが配置されている場合には、アクティブウィンドウ３０ａを水平方向において３等分することにより、各選択項３１ａ〜３１ｃに対応する関連領域がそれぞれ形成される。
また、ＣＰＵ１１（選択対象表示状態制御部７）は、ポインタ位置監視部５からポインタ４０の位置および移動方向についての情報を取得し、該当する選択項３１拡大表示させる（ステップＡ６０）。
例えば、図１２に示すように、ポインタ４０が選択項３１ｃに対応する関連領域に進入した場合には、選択対象表示状態制御部７は、図１２に示すように、ポインタ４０と重なるように選択項３１ｃを拡大して表示させる。
また、この図１２に示すように、選択項３１ｃが拡大表示され、ポインタ４０が選択項３１ｃに重なっている状態において、ユーザが、更にポインタ４０を選択項３１ｂの方向に移動させた場合には、選択対象表示状態制御部７は、図１３に示すように、選択項３１ｂをポインタ４０に重なるように拡大して表示するとともに、選択項３１ｃを拡大表示する前の大きさで表示する。
すなわち、ＣＰＵ１１は、ポインタ４０の位置とその移動方向とによって拡大表示を行なうべき選択項３１を判断して、対応する選択項３１を拡大表示するのである。
そして、ＣＰＵ１１は、選択項３１の上にポインタ４０が位置している状態でマウス２０のボタンがクリックされたか否かを判断して（ステップＡ７０）、左クリックがされていない場合には（ステップＡ７０のＮＯルート参照）、ステップＡ２０に戻る。
一方、選択項３１の上にポインタ４０が位置している状態でマウス２０のボタンがクリックされた場合には（ステップＡ７０のＹＥＳルート参照）、その選択項３１の内容に応じた処理を行なう。
このように、本発明の一実施形態としてのアクティブウィンドウ表示制御装置１によれば、アクティブウィンドウ３０ａにおいて、選択項３１に対応して形成された関連領域にポインタ４０が進入すると、選択対象表示状態制御部７が選択項３１の表示状態を変化させることにより、選択項３１の選択が容易になり操作性が向上する。
特に、小さなディスプレイ２をそなえたコンピュータシステム５０等において、ユーザが選択項３１を選択する際等において、選択対象である選択項３１が小さく表示ている場合においても、その選択項３１を容易且つ正確に選択することができる。
また、ポインタ４０の移動方向を監視し、このポインタ４０が移動した際に、選択対象表示状態制御部７が、その移動方向に位置する選択項３１の表示状態を変化させることによっても、選択項３１の選択が容易且つ正確になり操作性が向上する。
なお、選択項３１を拡大して表示させるように選択項３１の表示状態を変化させることにより、選択項３１の視認性が向上するとともに選択項３１が選択し易くなり、特に、選択項３１をポインタ４０と重なるように拡大して表示させることによって、ユーザが選択項３１にポインタ４０を重ね合わせるためにマウス２０等を操作してポインタ４０を移動させる必要がなく、選択項３１の選択を迅速に行なうことができる。
また、選択項３１を移動させて表示させるように選択項３１の表示状態を変化させることによっても、選択項３１の視認性が向上するとともに選択項３１が選択し易くなり、特に、選択項３１をポインタ４０と重なるように移動して表示させることによって、ユーザが選択項３１にポインタ４０を重ね合わせるためにマウス２０等を操作してポインタ４０を移動させる必要がなく、選択項３１の選択を迅速に行なうことができる。
また、コンピュータシステム５０において、キーボード１９やマウス２０に新たなボタン等をそなえることなく、既存のハードウェア環境をそのまま用いた状態で操作性を向上させることができるので、製造コストを軽減することもでき、又、ユーザは新たに使用方法を覚える必要もない。
本発明は、例えば、銀行，証券，保険，学校等のコンピュータシステム５０を使用する全ての分野において有効であり、特に、近年のパソコンの需要拡大に伴って増加している、高齢者やパソコン初心者（小学校低学年等）にとって利便性を向上させることができる。更に、災害等の緊急時や医療等の緊急時にも有効である。
そして、本発明は上述した実施形態に限定されるものではなく、本発明の趣旨を逸脱しない範囲で種々変形して実施することができる。
例えば、上述した実施形態においては、選択対象表示状態制御部７が、アクティブウィンドウ３０ａにおいて選択項３１に対応して形成された関連領域にポインタが進入したときや、ポインタ４０が移動した際にね選択項（選択対象）３１を拡大して表示させるようにその表示状態を変化させているが、それに限定するものではない。
図１４（ａ），（ｂ）および図１５（ａ），（ｂ）はともに本発明の一実施形態としてのウィンドウ表示制御装置の変形例における選択項３１の表示状態の変化を説明するための図である。図１４（ａ）はアクティブウィンドウ３０ａが選択項３１を１つそなえている場合における選択項３１の変化前の状態を説明するための図、図１４（ｂ）はその選択項３１の変化後の状態を説明するための図、図１５（ａ）はアクティブウィンドウ３０ａが選択項３１を２つそなえている場合において一方の選択項３１の関連領域にポインタ４０が進入したときの状態を説明するための図、図１５（ｂ）は図１５（ａ）の状態から他方の選択項３１の関連領域にポインタ４０が移動した時における変化後の選択項３１の状態を説明するための図である。
例えば、選択対象表示状態制御部７は、図１４（ａ）に示すように、アクティブウィンドウ３０ａが選択項３１を１つそなえている場合において、図１４（ｂ）に示すように、アクティブウィンドウ３０ａにポインタ４０が進入したときに選択項３１をポインタ４０に向かって移動させて表示させてもよい。なお、移動後の選択項３１の位置は予め設定されるようになっており、特に、選択項３１ポインタ４０と重なるように移動させることが望ましい。
また、図１５（ａ）に示すように、アクティブウィンドウ３０ａが２つの選択項３１ａ，３１ｂをそなえている場合であって、一方の選択項３１ｂがポインタ４０と重なるように移動されている状態において、ユーザがポインタ４０を移動させてこのポインタ４０を選択項３１ａの関連領域（図１５（ｂ）のアクティブウィンドウ３０ａにおける左半分の領域）に進入させると、図１５（ｂ）に示すように、選択項３１ａをポインタ４０に向かって移動させてもよく、この場合においても選択項３１がポインタ４０と重なるように移動して表示させることが望ましい。又、この際、選択項３１ｂを移動前の元の位置に戻すようにして表示する。
また、選択対象表示状態制御部７は、ポインタ４０が移動したことをポインタ位置監視部５によって検知した場合においても、ポインタ４０の移動方向に位置する選択項（選択対象）３１（図１５（ｂ）中では選択項３１ａ）の表示状態を変化させてもよい。
すなわち、選択対象表示状態制御部７は、ポインタ４０が移動したことをポインタ位置監視部５によって検知すると、ポインタ位置監視部５を用いて、移動前のポインタ４０の座標と移動後のポインタ４０の座標との少なくとも２回以上の座標を取得し、これらの２以上のポインタ４０の座標に基づいてその移動方向を算出する。
そして、選択対象表示状態制御部７は、図１５（ｂ）に示すように、算出したポインタ４０の移動方向に位置する選択項３１ａをポインタ４０に向かうように移動させて表示させてもよい。なお、この際においても、選択項３１がポインタ４０と重なるように移動させることが望ましい。又、選択対象表示状態制御部７は、既に移動して表示している選択項３１ｂを移動前の元の位置に戻すように移動して表示する。
本発明の一実施形態としてのウィンドウ表示制御装置１の変形例におけるウィンドウ表示制御方法を、図１７〜図２２を参照しながら図１６に示すフローチャート（ステップＢ１０〜Ｂ７０）に従って説明する。なお、図１７〜図２２はそれぞれディスプレイ２の表示画面の例を示す図であって、ＡＴＭとして機能するコンピュータシステム５０において現金出納処理時に表示される種々の表示画面の例を示すものである。
ユーザは、例えば、図１７に示すようなコンピュータシステム５０におけるウィンドウズの設定画面において選択項３１の移動表示を行なう旨の設定を行なう。すなわち、コンピュータシステム５０のハードディスク１３等に格納されているアクティブウィンドウ表示制御プログラムを起動して、「選択項の移動」を選択することにより、選択項３１の移動表示を行なう旨のフラグをＯＮにする。
以下、図１８に示すように、例えば銀行の窓口業務においてユーザが出金処理を行なう場合について説明する。この図１８に示す選択画面においてユーザが出金処理を選択した場合には、図１９に示すような、金額を入力した後に「投出（選択項３１ａ）」，「内訳投出（選択項３１ｂ）」および「取り消し（選択項３１ｃ）」のいずれかの選択項３１ａ〜３１ｃから任意の選択項３１を、ポインタ４０を用いてユーザが選択するようになっている。
ＣＰＵ１１（選択対象表示状態制御部７）は、選択項３１の移動表示を行なうか否かのフラグを調べ（ステップＢ１０）、このフラグがＯＦＦである場合には（ステップＢ１０のＮＯルート参照）、そのまま処理を終了して次の処理を行なう。
選択項３１の移動表示を行なうか否かのフラグがＯＮである場合には（ステップＢ１０のＹＥＳルート参照）、次に、ＣＰＵ１１は、アクティブウィンドウ３０ａの位置（座標）や大きさをアクティブウィンドウ表示制御部４から取得する（ステップＢ２０）。又、ＣＰＵ１１（ポインタ位置監視部５）は、ディスプレイ２上におけるポインタ４０の位置（座標）を求める（ステップＢ３０）。
そして、選択対象表示状態制御部７は、このポインタ４０の座標と、アクティブウィンドウ表示制御部４からのアクティブウィンドウ３０ａの位置に関する情報とに基づいて、ポインタ４０がアクティブウィンドウ３０ａに進入しているか否かを判断する（ステップＢ４０）。
図１９に示すように、ポインタ４０がアクティブウィンドウ３０ａに進入していない場合には（ステップＢ４０のＮＯルート参照）、そのまま処理を終了して次の処理を行なう。
ユーザは、図２０に示すように、キーボード１９を用いて内訳投入金額を入力した後、ポインタ４０を移動させて「内訳投入（選択項３１ｂ）」を選択しようとする。
ここで、ユーザがマウス２０を操作することによりポインタ４０がアクティブウィンドウ３０ａに進入した場合には（ステップＢ４０のＹＥＳルート参照）、ＣＰＵ１１（関連領域設定部６）は、次に、アクティブウィンドウ３０ａ内に配置されている選択項３１（３１ａ〜３１ｃ）に応じて関連領域を設定する（ステップＢ５０）。
すなわち、図１９に示すアクティブウィンドウ３０ａには３つの選択項３１ａ〜３１ｃが配置されているので、関連領域設定部６は、アクティブウィンドウ３０ａを、各選択項３１ａ〜３１ｃに対応するように分割して３つの関連領域を形成する。例えば、図１９および図２０に示すように、アクティブウィンドウ３０ａにおいて水平方向に等間隔に３つの選択項３１ａ〜３１ｃが配置されている場合には、アクティブウィンドウ３０ａを水平方向において３等分することにより、各選択項３１ａ〜３１ｃに対応する関連領域がそれぞれ形成される。
また、ＣＰＵ１１（選択対象表示状態制御部７）は、ポインタ位置監視部５からポインタ４０の位置および移動方向についての情報を取得し、該当する選択項３１をポインタ４０と重なるように移動させて表示させる（ステップＢ６０）。
例えば、図２１に示すように、ポインタ４０が選択項３１ｃに対応する関連領域に進入した場合には、選択対象表示状態制御部７は、図２１に示すように、ポインタ４０と重なるように選択項３１を移動して表示させる。
また、この図２１に示すように、選択項３１ｃが移動して表示され、ポインタ４０が選択項３１ｃに重なっている状態において、ユーザが、更にポインタ４０を選択項３１ｂの方向に移動させた場合には、選択対象表示状態制御部７は、図２２に示すように、選択項３１ｂをポインタ４０に重なるように移動して表示するとともに、選択項３１ｃを移動する前の位置に戻すように表示する。
すなわち、ＣＰＵ１１は、ポインタ４０の位置とその移動方向とによって移動表示を行なうべき選択項３１を判断して、対応する選択項３１を移動させて表示させるのである。
そして、ＣＰＵ１１は、選択項３１の上にポインタ４０が位置している状態でマウス２０のボタンがクリックされたか否かを判断して（ステップＢ７０）、左クリックがされていない場合には（ステップＢ７０のＮＯルート参照）、ステップＢ２０に戻る。
一方、選択項３１の上にポインタ４０が位置している状態でマウス２０のボタンがクリックされた場合には（ステップＢ７０のＹＥＳルート参照）、その選択項３１の内容に応じた処理を行なう。
このように、本発明の変形例としてのウィンドウ表示制御装置によっても、上述したウィンドウ表示制御装置１と同様の作用効果を得ることができる。
また、上述した実施形態における選択項３１を拡大表示する場合において、選択対象表示状態制御部７が、拡大後の選択項３１がポインタ４０と重なるように拡大して表示させるようになっているが、これに限定するものではなく、拡大後の選択項３１がポインタ４０と重ならなくてもよい。
さらに、上述した実施形態においては、変化後の選択項３１が、アクティブウィンドウ３０ａ内に収まるようになっているが、それに限定するものではなく、変化後の選択項３１がアクティブウィンドウ３０ａからはみ出して拡大したり移動してもよい。
また、上述した実施形態では、ディスプレイ２上のポインタ４０を操作するためにマウス２０が用いられているがこれに限定するものではない。例えば、トラックパッド、トラックボール，タブレット等、種々のポインティングデバイスを用いることができる。
さらに、上述した実施形態では、選択対象表示状態制御部７が、選択項３１に対応して形成された関連領域にポインタ４０が進入したことを検知したときと、ポインタ４０が移動した際との双方の場合において、対応する選択項３１の表示状態を変更しているが、これに限定するものではなく、例えば、いずれか一方の条件のみによって選択項３１の表示状態の変更を行なってもよい。又、これらの条件の適用に際して優先順位をもうけてもよく、更に、この場合に、どちらを優先的に適用するかはユーザ等が自由に設定できるようにしてもよい。
またさらに、上述した実施形態においては、本発明のウィンドウ表示制御装置をコンピュータシステムに適用した場合について説明しているが、それに限定するものではなく、例えば、携帯電話端末や種々の機器におけるメニュー選択等に適用してもよく、本発明の趣旨を逸脱しない範囲で種々変形して実施することができる。
なお、本発明の各実施形態が開示されていれば、当業者によって製造することが可能である。
産業上の利用可能性
以上のように、本発明のウィンドウ表示制御方法およびウィンドウ表示制御装置並びにプログラムを記録したコンピュータ読取可能な記録媒体は、コンピュータの表示部に表示させるアクティブウィンドウの表示制御を行なうのに有用であり、特にパーソナルコンピュータの表示装置に表示されたアクティブウィンドウにおいて選択対象をポインタによって選択する際におけるアクティブウィンドウの表示制御に適している。
【図面の簡単な説明】
図１は本発明の一実施形態としてのウィンドウ表示制御装置の機能ブロック図である。
図２は本ウィンドウ表示制御装置の適用例としてのコンピュータシステムの全体構成を示すブロック図である。
図３（ａ）〜（ｃ）および図４（ａ）〜（ｃ）はともにディスプレイの表示画面を説明するための図である。
図５（ａ），（ｂ）および図６（ａ），（ｂ）はともに選択項の表示状態の変化を説明するための図である。
図７は本発明の一実施形態としてのウィンドウ表示制御装置におけるウィンドウ表示制御方法を説明するためのフローチャートである。
図８〜図１３はそれぞれディスプレイの表示画面の例を示す図である。
図１４（ａ），（ｂ）および図１５（ａ），（ｂ）はともに本発明の一実施形態としてのウィンドウ表示制御装置の変形例における選択項の表示状態の変化を説明するための図である。
図１６は本発明の一実施形態としてのウィンドウ表示制御装置の変形例におけるウィンドウ表示制御方法を説明するためのフローチャートである。
図１７〜図２２はそれぞれディスプレイの表示画面の例を示す図である。
【図１】
2002046899.tif 000003
【図２】
2002046899.tif 000004
【図３（ａ）】
2002046899.tif 000005
【図３（ｂ）】
2002046899.tif 000006
【図３（ｃ）】
2002046899.tif 000007
【図４（ａ）】
2002046899.tif 000008
【図４（ｂ）】
2002046899.tif 000009
【図４（ｃ）】
2002046899.tif 000010
【図５（ａ）】
2002046899.tif 000011
【図５（ｂ）】
2002046899.tif 000012
【図６（ａ）】
2002046899.tif 000013
【図６（ｂ）】
2002046899.tif 000014
【図７】
2002046899.tif 000015
【図８】
2002046899.tif 000016
【図９】
2002046899.tif 000017
【図１０】
2002046899.tif 000018
【図１１】
2002046899.tif 000019
【図１２】
2002046899.tif 000020
【図１３】
2002046899.tif 000021
【図１４（ａ）】
2002046899.tif 000022
【図１４（ｂ）】
2002046899.tif 000023
【図１５（ａ）】
2002046899.tif 000024
【図１５（ｂ）】
2002046899.tif 000025
【図１６】
2002046899.tif 000026
【図１７】
2002046899.tif 000027
【図１８】
2002046899.tif 000028
【図１９】
2002046899.tif 000029
【図２０】
2002046899.tif 000030
【図２１】
2002046899.tif 000031
【図２２】
2002046899.tif 000032
【国際調査報告】
2002046899.tif 000033
2002046899.tif 000034
2002046899.tif 000035
2002046899.tif 000036